(57)【要約】  【課題】ＯＳをリカバリーする場合に、順次表示される対応不要なメッセージを隠して、オペレータを混乱させたり、誤操作させないようにすること。  【解決手段】本発明にかかるリカバリー時の画面表示制御方法では、写真処理用のパソコンのシステム記憶媒体にＯＳをリカバリーするときに、前記ＯＳがリカバリー時に種々の経過情報を画面の所定領域に表示する機能を備えている場合におけるリカバリー時の画面表示制御方法において、前記ＯＳのイメージを前記システム記憶媒体に書き込む手順と、書き込んだＯＳの起動が完了するまで、前記所定領域にプログレス画面を表示して前記経過情報を隠す隠蔽手順とを含んでいることを特徴としている。例えば、前記隠蔽手順においてはプログレス画面をフルスクリーン表示するとよい。【選択図】      図１
2006011698.tif 000002
【特許請求の範囲】
【請求項１】
写真処理用のパソコンのシステム記憶媒体にＯＳをリカバリーするときに、前記ＯＳがリカバリー時に種々の経過情報を画面の所定領域に表示する機能を備えている場合におけるリカバリー時の画面表示制御方法において、
前記ＯＳのイメージを前記システム記憶媒体に書き込む手順と、
書き込んだＯＳの起動が完了するまで、前記所定領域にプログレス画面を表示して前記経過情報を隠す隠蔽手順とを含んでいることを特徴とするリカバリー時の画面表示制御方法。
【請求項２】
前記隠蔽手順においては、プログレス画面をフルスクリーン表示することを特徴とする請求項１に記載のリカバリー時の画面表示制御方法。
【発明の詳細な説明】
【技術分野】
【０００１】
本発明は、所定のＯＳ（Operating System）にて稼働するコンピュータシステムにおいて、設定の再構築等を行うリカバリープログラムが実行されるときに、一般のオペレータが誤操作をしないように保護する技術に関するものである。
【背景技術】
【０００２】
従来より、Windows2000(MicroSoft社商標)等のＯＳは、ハードディスク不良等が原因のトラブルが発生したときには、ハードディスク内のデータを復元（リカバリー）するためのツール（リカバリープログラム）を実行することができる。
これらのツールが実行されると、図５に示したように、ＯＳが起動する過程において、ＯＳの種々の設定を再構築するためのスクリプト画面、ＯＳがハードウェアを自動検出する画面、実行過程においてＯＳが自動的に順次出力するポップアップメッセージ画面等が、次々にデスクトップ上に自動的に表示される。
【発明の開示】
【発明が解決しようとする課題】
【０００３】
このようなツールは、一般のオペレータが実行させることになるが、そのときに順次表示される前記各種画面をオペレータが見て混乱することがあった。画面を見て何らかのキー操作をしてしまって正常な設定の再構築が出来なかったりする問題もあった。
前記各種画面は、本来、一般のオペレータは対応することが不要なメッセージであるから、見る必要もなく、対応する必要もないが、見えてしまうために混乱するのである。
そのような不要な画面表示をしないようにプログラムを変更することも可能ではあるが、そのようなプログラムの変更は、ＯＳを修正することになり、ライセンス契約の問題や技術的な問題があった。
【０００４】
そこで、本発明は、ＯＳを修正することなく、対応不要なメッセージを隠して、オペレータを混乱させたり、誤操作させないようにすることを目的としてなされたものである。
【課題を解決するための手段】
【０００５】
本発明にかかるリカバリー時の画面表示制御方法の請求項１では、
写真処理用のパソコンのシステム記憶媒体にＯＳをリカバリーするときに、前記ＯＳがリカバリー時に種々の経過情報を画面の所定領域に表示する機能を備えている場合におけるリカバリー時の画面表示制御方法において、
前記ＯＳのイメージを前記システム記憶媒体に書き込む手順と、
書き込んだＯＳの起動が完了するまで、前記所定領域にプログレス画面を表示して前記経過情報を隠す隠蔽手順とを含んでいることを特徴としている。
請求項２では、
前記隠蔽手順においては、プログレス画面をフルスクリーン表示することを特徴としている。
【発明の効果】
【０００６】
本発明にかかるリカバリー時の画面表示制御方法によれば、
写真処理用のパソコンのシステム記憶媒体にＯＳをリカバリーするときに、前記ＯＳがリカバリー時に種々の経過情報を画面の所定領域に表示する機能を備えている場合におけるリカバリー時の表示画面の制御方法において、
前記ＯＳのイメージを前記システム記憶媒体に書き込む手順と、
書き込んだＯＳの起動が完了するまで、前記所定領域にプログレス画面を表示するので、前記経過情報はプログレス画面に隠されてオペレータには見えない。
従って、オペレータが戸惑うことを防ぐとともに、経過情報を見て誤操作をしてしまってトラブルを発生させてしまう危険性を防ぐことができる。
しかも、ＯＳを修正する必要がないので、簡単に実施することができる。
【発明を実施するための最良の形態】
【０００７】
以下に、本発明にかかるリカバリー時の画面表示制御方法を、その実施の形態を示した図面に基づいて詳細に説明する。
図１は、コンピュータを用いた写真処理装置の全体のブロック図である。
図１において、１は写真処理装置であり、現像済みのフィルムの画像を読み取るスキャナ２と、前記スキャナ２でよって読み取った画像データや、記憶媒体から読み取った画像データを画像処理して出力するパソコン３と、前記パソコン３から出力された画像データをプリントデータに変換して印画紙に焼き付けて現像処理する焼付け現像処理部４とを備えている。
【０００８】
前記パソコン３は、図１、２に示したように、Windows2000(MicroSoft社商標)等のＯＳのもとで稼働するコンピュータであり、ＣＰＵ３１、ハードディスク３２、ディスプレイ装置３３、キーボードやマウス等の入力装置３４等から構成されている。
前記パソコン３には、前記ＯＳ上で動作する画像処理プログラム等のユーザプログラムがインストールされている。
前記ＯＳは、前記ユーザプログラムとパソコン３の各ハードウェア資源との間に介在する各種システムプログラムを含んでいる。
前記システムプログラムの１つに、パソコン１のハードディスク３２になんらかのトラブルが発生してハードディスク不良等になったときに、ハードディスク内のデータを復元（リカバリー）するために実行するリカバリープログラム（ツール）がある。
【０００９】
このようなリカバリープログラムは、図３に示したように、ＯＳのイメージをハードディスク３２に書き込むイメージ書き込み手順（ステップＳ１）と、書き込んだＯＳを起動するシステム起動手順（ステップＳ２）とを備えている。
前記システム起動手順（ステップＳ２）が実行されると、まず、ステップＳ２１において、図４に示したようなプログレス画面がディスプレイ装置３３の画面にフルスクリーン表示される。このプログレス画面は、コンピュータシステムがリカバリー中であって、キーボードやマウス等の入力装置３４を操作しないように注意を促すコメントを表示するとともに、予め設定された起動所要時間タイマーの計時進行に応じて伸長するバーグラフが表示される。
なお、このプログレス画面が、画面の最上位層に設定されているので、他の画面データは全て背後に隠されて見えない。
【００１０】
前記プログレス画面がフルスクリーン表示されている状態で、ステップＳ２２においてＯＳが起動される。ＯＳが起動されると、当該ＯＳの持っている機能に基づいてシステム再構築が進行し、各種設定値等を表示するスクリプト画面データが順次システムから出力される。このとき、ディスプレイ装置３３の画面上には、前記プログレス画面が最上位層にフルスクリーン表示されるように設定されているので、前記スクリプト画面はプログレス画面の背後に隠れた状態になり実際には画面上には表示されない。
【００１１】
また、ステップＳ２３においては、当該ＯＳの持っている機能に基づいて種々のハードウェア資源が順次検出されて必要なドライバの組み込み等が順次進行する。この時、検出したハードウェア資源の情報等を順次表示するための画面データが順次システムから出力される。このとき、ディスプレイ装置３３の画面上には、前記プログレス画面が最上位層にフルスクリーン表示されるように設定されているので、前記ハードウェア検出画面はプログレス画面の背後に隠れた状態になり実際には画面上には表示されない。
【００１２】
また、システムからは適宜各種のポップアップメッセージを表示するためのデータが出力されるが、ディスプレイ装置３３の画面上には、前記プログレス画面が最上位層にフルスクリーン表示されるように設定されているので、前記ポップアップメッセージ画面はプログレス画面の背後に隠れた状態になり実際には画面上には表示されない。
このようにして、ディスプレイ装置３３の画面上には、前記プログレス画面が最上位層にフルスクリーン表示されるように設定されているので、従来は、ディスプレイ装置の画面に順次表示されていたスクリプト画面、ハードウェア検出画面、ポップアップメッセージ画面等は、プログレス画面の背後に隠れた状態になり実際には画面上には表示されない。
従って、従来であれば、順次表示されるところのスクリプト画面、ハードウェア検出画面、ポップアップメッセージ画面等が、プログレス画面の背後に隠されており、オペレータには見えないので、そのような表示にまどわされることもなく、また、余計な操作をして正常なリカバリーを中断させたりするというトラブルの発生を防止できるのである。
【００１３】
ステップＳ２４においては、起動所要時間タイマーを監視して、所定の起動所要時間を経過したときにはステップＳ２５に進み、プログレス画面を消去して、通常の起動後のデスクトップ画面を表示する。
この後、必要に応じて、アプリケーションをインストールする。
【実施例１】
【００１４】
実施例１のパソコン３は、ＯＳとしてはWindows2000(MicroSoft社商標)が採用されており、ＣＤ−ＲＯＭやＤＶＤ−ＲＡＭ等の記憶媒体や、ネットワークを介してシステムのリカバリーを行う機能を備えている。
【００１５】
そして、焼付け現像処理部４は、前記パソコン３で処理された画像データに基づいた画像を、感光材（印画紙）にレーザー露光させる露光部４１と、ロール状に巻回された印画紙を収納し、所定サイズに切断して露光部４１に順次供給する感光材収納部４２と、露光部４１で露光された印画紙を現像、漂白定着及び安定処理する現像部４３及び安定処理された印画紙を乾燥する乾燥部４４等で構成されている。
なお、ＯＳはWindows2000(MicroSoft社商標)やWindowsXP(MicroSoft社商標)、もしくはその他のＯＳを採用することも可能である。
【００１６】
また、前記プログレス画面はフルスクリーン表示されなくても、スクリプト画面、ハードウェア検出画面、ポップアップメッセージ画面等の画面を隠す程度の大きさと位置であればよい。
また、前記プログレス画面が表示されている間は、キーボードを操作すると、リカバリーに要する概略の残存時間が表示されるように構成してもよい。
さらに、前記プログレス画面は、バーグラフに限らず、進行状況と残存時間が目視可能な動きのある画面であれば、円グラフやアニメーションでもよい。
【図面の簡単な説明】
【００１７】
【図１】本発明にかかるリカバリー時の画面表示制御方法を採用した写真処理システムの実施の形態の構成を示した構成図である。
【図２】前記写真処理システムに用いるパソコンの概略構成図である。
【図３】前記リカバリー時の画面表示制御方法の実施形態としてのリカバリープログラムのフローチャートである。
【図４】前記リカバリープログラムの表示画面の例を示す図である。
【図５】従来のリカバリー処理時の表示画面の例を示す図である。
【符号の説明】
【００１８】
１  写真処理システム
２  スキャナ
３  パソコン
４  現像処理部
３１  ＣＰＵ
３２  ハードディスク
３３  ディスプレイ装置
３４  入力装置
【図１】
2006011698.tif 000003
【図２】
2006011698.tif 000004
【図３】
2006011698.tif 000005
【図４】
2006011698.tif 000006
【図５】
2006011698.tif 000007